(57)【要約】【課題】遊技媒体が１個だけ通過可能な大きさの入賞口付近で遊技媒体が詰まることを抑えることが可能な遊技機の提供を目的とする。【解決手段】本発明の遊技機１０は、下端部を中心に回動して第２の始動入賞口１４Ｂを開閉する開閉扉５０と、開状態の開閉扉５０に向けて左右から遊技球を転動させるサイド誘導路３５Ｒ，３５Ｌとを備えている。誘導面５０Ｍには、サイド誘導路３５Ｒ，３５Ｌからの遊技球を、それぞれ、第２の始動入賞口１４Ｂへ誘導する第１と第２の誘導路７１，７２を形成する誘導突部５１が設けられ、この誘導突部５１が、第１と第２の誘導路７１，７２を通る遊技球の減速度合いを異ならせるような非対称形状に構成されている。【選択図】図９
2014200635.tif 000002
【特許請求の範囲】
【請求項１】
前方に開放して遊技媒体を受け入れ可能であって遊技媒体１個分以上２個分未満の大きさに設定された入賞口と、前記入賞口の下方開口縁を中心に回動して前記入賞口を開閉する開閉扉とを備え、開状態の前記開閉扉の裏面を誘導面にして遊技媒体を前記入賞口へ誘導する遊技機において、
前記入賞口の両側に、開状態の前記開閉扉の前記誘導面に向けて両側方から遊技媒体を転動させる第１流路及び第２流路を設け、
前記誘導面には、前記第１流路からの遊技媒体を前記入賞口に向けて誘導すると共にその遊技媒体の前記第２流路への進入を規制する第１誘導路と、前記第２流路からの遊技媒体を前記入賞口へ向けて誘導すると共にその遊技媒体の前記第１流路への進入を規制する第２誘導路と、前記入賞口の前方に位置して前記第１誘導路と前記第２誘導路の各誘導路を通過した遊技媒体を１個だけ受け入れて前記入賞口へ誘導可能な合流領域とを形成する誘導突部が設けられ、
前記誘導突部は、前記第１誘導路及び前記第２誘導路を遊技媒体１個だけ通過可能な幅にすると共に、前記第１流路及び前記第２流路から前記第１誘導路及び前記第２誘導路に遊技媒体が同時に進入した場合に、前記第１誘導路を通って前記入賞口へ向かう遊技媒体の全体と、前記第２誘導路を通って前記入賞口へ向かう遊技媒体の全体とが前記合流領域に同時に進入しないような非対称形状に構成されたことを特徴とする遊技機。
【請求項２】
前記誘導突部は、前記第１誘導路を通って前記入賞口へ向かう遊技媒体の減速度合いと、前記第２誘導路を通って前記入賞口へ向かう遊技媒体の減速度合いとが異なるような非対称形状に構成されたことを特徴とする請求項１に記載の遊技機。
【請求項３】
前記誘導突部は、前記第１誘導路の幅が前記第２誘導路の幅よりも大きくなるような非対称形状に構成されたことを特徴とする請求項１又は２に記載の遊技機。
【請求項４】
前記誘導突部は、前記第１誘導路の入口で、前記第１流路から前記第１誘導路へ向かう正規の移動経路から外れた遊技媒体と当接してその進路を変更し、その遊技媒体を前記正規の移動経路に戻す進路変更部を備えて非対称形状としたことを特徴とする請求項１乃至３のうち何れか１の請求項に記載の遊技機。
【請求項５】
前記誘導突部には、
開状態の前記開閉扉の前端から前後方向の中間位置に亘って配置され、前記第１流路側の端部から幅方向の中央へ向かうに従って前記入賞口へ向かうように湾曲した第１円弧面と、前記第２流路側の端部から幅方向の中央へ向かうに従って前記入賞口へ向かうように湾曲した第２円弧面とを側面に有した中央突部と、
前記第１円弧面と対向して前記中央突部との間に前記第１誘導路を形成する第１対向突部と、
前記第２円弧面と対向して前記中央突部との間に前記第２誘導路を形成する第２対向突部とが備えられ、
前記第１円弧面と前記第１対向突部との間の間隔を、前記第２円弧面と前記第２対向突部との間の間隔よりも広くしたことを特徴とする請求項１乃至４のうち何れか１の請求項に記載の遊技機。
【請求項６】
前記中央突部は、前記開閉扉を横方向に二分する扉中央線より前記第１流路側に位置して前記入賞口側を向いた面が前記第１円弧面となった第１円弧面構成体と、前記扉中央線より前記第２流路側に位置して前記入賞口側を向いた面が前記第２円弧面となった第２円弧面構成体とで構成され、
前記第１円弧面構成体は、前記扉中央線を対称軸として前記第２円弧面構成体と線対称な円弧面構成体の前記第１流路側の端部を切除した形状をなし、
前記第１円弧面構成体の前記第１流路側の端部が、前記第１誘導路の入口で、前記第１流路から前記第１誘導路へ向かう正規の移動経路から外れた遊技媒体と当接してその進路を変更し、その遊技媒体を前記正規の移動経路に戻す進路変更部になっていることを特徴とする請求項５に記載の遊技機。
【請求項７】
前方に開放して遊技媒体を受け入れ可能であって遊技媒体１個分以上２個分未満の大きさに設定された入賞口と、前記入賞口の下方開口縁を中心に回動して前記入賞口を開閉する開閉扉とを備え、開状態の前記開閉扉の裏面を誘導面にして遊技媒体を前記入賞口へ誘導する遊技機において、
前記入賞口の両側に設けられ、開状態の前記開閉扉の前記誘導面に向けて両側方から遊技媒体を転動させる第１流路及び第２流路と、
前記誘導面に設けられ、前記第１流路及び前記第２流路との間で遊技媒体が移動することを規制する誘導突部と、
前記誘導突部のうち前記第１流路に臨んだ縁部に形成され、前記第１流路から転動してきた遊技媒体の転動方向を変更して前記入賞口へと案内する第１誘導部と、
前記誘導突部のうち前記第２流路に臨んだ縁部に形成され、前記第２流路から転動してきた遊技媒体の転動方向を変更して前記入賞口へと案内する第２誘導部とを備え、
前記誘導面には、前記第１誘導部により案内される遊技媒体の減速度合いと前記第２誘導部により案内される遊技媒体の減速度合いとを異ならせる非対称減速部が設けられたことを特徴とする遊技機。
【発明の詳細な説明】
【技術分野】
【０００１】
本発明は、前方に開放して遊技媒体を受け入れ可能な入賞口を備えた遊技機に関する。
【背景技術】
【０００２】
従来、この種の遊技機として、例えば、複数の遊技球が入球可能な幅の大入賞口の下方開口縁を中心に開閉扉が回動し、開状態の開閉扉の裏面を誘導面として遊技球を大入賞口へ誘導するものが知られている（例えば、特許文献１参照）。また、近年では、このような開閉扉にて、遊技球が１つだけ通過可能な幅の始動入賞口を開閉する遊技機も提案されている。
【先行技術文献】
【特許文献】
【０００３】
【特許文献１】特開２００９−１３１５２６号公報（段落［００３３］、図１、図５、図６）
【発明の概要】
【発明が解決しようとする課題】
【０００４】
しかしながら、上述した開閉扉で入賞口を開閉する遊技機では、開閉扉の両側から複数の遊技球が入賞口へと誘導された場合に、入賞口付近で球詰まりが発生するという問題があった。
【０００５】
本発明は、上記事情に鑑みてなされたもので、遊技媒体が１個だけ通過可能な大きさの入賞口付近で遊技媒体が詰まることを抑えることが可能な遊技機の提供を目的とする。
【課題を解決するための手段】
【０００６】
上記目的を達成するためになされた請求項１の発明に係る遊技機は、前方に開放して遊技媒体を受け入れ可能であって遊技媒体１個分以上２個分未満の大きさに設定された入賞口と、入賞口の下方開口縁を中心に回動して入賞口を開閉する開閉扉とを備え、開状態の開閉扉の裏面を誘導面にして遊技媒体を入賞口へ誘導する遊技機において、入賞口の両側に、開状態の開閉扉の誘導面に向けて両側方から遊技媒体を転動させる第１流路及び第２流路を設け、誘導面には、第１流路からの遊技媒体を入賞口に向けて誘導すると共にその遊技媒体の第２流路への進入を規制する第１誘導路と、第２流路からの遊技媒体を入賞口へ向けて誘導すると共にその遊技媒体の第１流路への進入を規制する第２誘導路と、入賞口の前方に位置して第１誘導路と第２誘導路の各誘導路を通過した遊技媒体を１個だけ受け入れて入賞口に誘導可能な合流領域とを形成する誘導突部が設けられ、誘導突部は、第１誘導路及び第２誘導路を遊技媒体１個だけ通過可能な幅にすると共に、第１流路及び第２流路から第１誘導路及び第２誘導路に遊技媒体が同時に進入した場合に、第１誘導路を通って入賞口へ向かう遊技媒体の全体と、第２誘導路を通って入賞口へ向かう遊技媒体の全体とが合流領域に同時に進入しないような非対称形状に構成されたところに特徴を有する。
【０００７】
請求項２の発明は、請求項１に記載の遊技機において、誘導突部は、第１誘導路を通って入賞口へ向かう遊技媒体の減速度合いと、第２誘導路を通って入賞口へ向かう遊技媒体の減速度合いとが異なるような非対称形状に構成されたところに特徴を有する。
【０００８】
請求項３の発明は、請求項１又は２に記載の遊技機において、誘導突部は、第１誘導路の幅が第２誘導路の幅よりも大きくなるような非対称形状に構成されたところに特徴を有する。
【０００９】
請求項４の発明は、請求項１乃至３のうち何れか１の請求項に記載の遊技機において、誘導突部は、第１誘導路の入口で、第１流路から第１誘導路へ向かう正規の移動経路から外れた遊技媒体と当接してその進路を変更し、その遊技媒体を正規の移動経路に戻す進路変更部を備えて非対称形状としたところに特徴を有する。
【００１０】
請求項５の発明は、請求項１乃至４のうち何れか１の請求項に記載の遊技機において、誘導突部には、開状態の開閉扉の前端から前後方向の中間位置に亘って配置され、第１流路側の端部から幅方向の中央へ向かうに従って入賞口へ向かうように湾曲した第１円弧面と、第２流路側の端部から幅方向の中央へ向かうに従って入賞口へ向かうように湾曲した第２円弧面とを側面に有した中央突部と、第１円弧面と対向して中央突部との間に第１誘導路を形成する第１対向突部と、第２円弧面と対向して中央突部との間に第２誘導路を形成する第２対向突部とが備えられ、第１円弧面と第１対向突部との間の間隔を、第２円弧面と第２対向突部との間の間隔よりも広くしたところに特徴を有する。
【００１１】
請求項６の発明は、請求項５に記載の遊技機において、中央突部は、開閉扉を横方向に二分する扉中央線より第１流路側に位置して入賞口側を向いた面が第１円弧面となった第１円弧面構成体と、扉中央線より第２流路側に位置して入賞口側を向いた面が第２円弧面となった第２円弧面構成体とで構成され、第１円弧面構成体は、扉中央線を対称軸として第２円弧面構成体と線対称な円弧面構成体の第１流路側の端部を切除した形状をなし、第１円弧面構成体の第１流路側の端部が、第１誘導路の入口で、第１流路から第１誘導路へ向かう正規の移動経路から外れた遊技媒体と当接してその進路を変更し、その遊技媒体を正規の移動経路に戻す進路変更部になっているところに特徴を有する。
【００１２】
請求項７の発明に係る遊技機は、前方に開放して遊技媒体を受け入れ可能であって遊技媒体１個分以上２個分未満の大きさに設定された入賞口と、入賞口の下方開口縁を中心に回動して入賞口を開閉する開閉扉とを備え、開状態の開閉扉の裏面を誘導面にして遊技媒体を入賞口へ誘導する遊技機において、入賞口の両側に設けられ、開状態の開閉扉の誘導面に向けて両側方から遊技媒体を転動させる第１流路及び第２流路と、誘導面に設けられ、第１流路及び第２流路との間で遊技媒体が移動することを規制する誘導突部と、誘導突部のうち第１流路に臨んだ縁部に形成され、第１流路から転動してきた遊技媒体の転動方向を変更して入賞口へと案内する第１誘導部と、誘導突部のうち第２流路に臨んだ縁部に形成され、第２流路から転動してきた遊技媒体の転動方向を変更して入賞口へと案内する第２誘導部とを備え、誘導面には、第１誘導部により案内される遊技媒体の減速度合いと第２誘導部により案内される遊技媒体の減速度合いとを異ならせる非対称減速部が設けられたところに特徴を有する。
【発明の効果】
【００１３】
［請求項１〜３の発明］
請求項１の発明によれば、第１流路と第２流路の両流路から第１誘導路と第２誘導路に遊技媒体が同時に進入した場合であっても、それら遊技媒体の全体は、合流領域に同時に進入しないので、遊技媒体が１個だけ通過可能な大きさの入賞口付近で遊技媒体が詰まることを抑えることが可能となる。
【００１４】
特に、請求項２の発明のように、誘導突部を、第１誘導路を通って入賞口へ向かう遊技媒体の減速度合いと、第２誘導路を通って入賞口へ向かう遊技媒体の減速度合いとが異なるような非対称形状に構成すれば、第１流路と第２流路の両流路から開閉扉の誘導面に、遊技媒体が同じ速度で同時に転動してきた場合であっても、遊技媒体を１個ずつ入賞口へ受け入れることが可能となる。
【００１５】
なお、誘導突部の非対称形状としては、第１誘導路と第２誘導路の何れか一方の転動面にのみ突起が設けられた非対称形状であってもよいし、第１誘導路と第２誘導路の転動面の間で、摩擦係数が異なるように面粗さを異ならせた非対称形状であってもよいし、請求項３の発明のように、第１誘導路の幅が第２誘導路の幅よりも大きくなるような非対称形状であってもよい。
【００１６】
［請求項４の発明］
請求項４の発明では、第１流路から第１誘導路へ向かう正規の移動経路から外れた遊技媒体は、進路変更部によって正規の移動経路に戻されるので、第１流路を複数の遊技媒体が転動してきた場合であっても、それら遊技媒体を１個ずつ第１誘導路へ進入させることが可能になる。
【００１７】
［請求項５の発明］
請求項５の発明によれば、第１流路から転動してきた遊技媒体を中央突部の第１円弧面に沿わせて入賞口へと案内し、第２流路から転動してきた遊技媒体を中央突部の第２円弧面に沿わせて入賞口へと案内することができる。
【００１８】
［請求項６の発明］
請求項６の発明では、第１円弧面構成体が、扉中央線を対称軸として第２円弧面構成体と線対称な円弧面構成体の第１流路側の端部を切除した形状をなしているので、第１誘導路の入口が広くなり、第１誘導路の入口で遊技媒体が詰まることが抑えられる。しかも、第１円弧面構成体の第１流路側の端部が進路変更部となっているので、第１流路を複数の遊技媒体を転動してきた場合であっても、それら複数の遊技媒体を１個ずつ第１誘導路へ向かわせることができる。
【００１９】
［請求項７の発明］
請求項７の発明によれば、第１流路と第２流路の両流路から開閉扉の誘導面に、遊技媒体が同じ速度で同時に転動してきた場合であっても、誘導面には、誘導突部の第１誘導部により入賞口へと案内される遊技媒体の減速度合いと、誘導突部の第２誘導部により入賞口へと案内される遊技媒体の減速度合いとを異ならせる非対称減速部が備えられているので、遊技媒体を１個ずつ入賞口へ受け入れることが可能となる。これにより、入賞口付近で遊技媒体が詰まることが抑制される。
【図面の簡単な説明】
【００２０】
【図１】本発明の一実施形態に係る遊技機の正面図
【図２】遊技板の正面図
【図３】第２の始動入賞口周辺の正面図
【図４】始動入賞口ユニットの前方斜視図
【図５】始動入賞口ユニットの分解斜視図
【図６】前面カバー及び開閉扉の後方斜視図
【図７】開閉扉の前方斜視図
【図８】開状態の開閉扉を上方から見た図
【図９】開閉扉の誘導面を転動する遊技球を上方から見た図
【図１０】（Ａ）正規の移動軌跡から外れた遊技球を上方から見た図、（Ｂ）正規の移動軌跡に戻された遊技球を上方から見た図
【図１１】変形例に係る開状態の開閉扉を上方から見た図
【図１２】変形例に係る開状態の開閉扉を上方から見た図
【発明を実施するための形態】
【００２１】
以下、本発明をパチンコ遊技機に適用した一実施形態を図１〜図１０を用いて説明する。図１に示すように、本実施形態に係るパチンコ遊技機１０（以下、単に、「遊技機１０」という。）は、遊技機１０の前面に開閉可能に取り付けられた前面枠１０Ｚで遊技板１１を覆ってなり、その前面枠１０Ｚに形成されたガラス窓１０Ｗを通して、遊技板１１の前面に形成された遊技領域Ｒ１の全体が視認可能となっている。なお、遊技領域Ｒ１は、遊技板１１の前面から突出したガイドレール１２に四方を囲まれることで形成されている。
【００２２】
前面枠１０Ｚのうちガラス窓１０Ｗより上方の両角位置には、それぞれスピーカー２５，２５が設けられている。また、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球（本発明の「遊技媒体」に相当する。）が遊技領域Ｒ１に向けて弾き出される。なお、上皿２６に備えた球排出ボタン２９を押すと上皿２６に収容されている遊技球が下皿２７へと移動する。
【００２３】
図２に示すように、遊技板１１のうち遊技領域Ｒ１の中央には、遊技板表示窓１１Ｈが貫通形成されており、その遊技板表示窓１１Ｈに遊技板１１の裏面側から表示装置３０が対向している。表示装置３０は、液晶モジュールで構成され、その前面が遊技に関する演出を行う表示画面３０Ｇとなっている。
【００２４】
遊技板１１の前面中央には、表示画面３０Ｇを囲むように表示装飾枠２３が取り付けられている。具体的には、表示装飾枠２３は、遊技板１１の前面側から遊技板表示窓１１Ｈに嵌め込まれて、遊技板表示窓１１Ｈの内側に張り出すと共に、遊技板１１の前面から突出している。そして、遊技領域Ｒ１を流下する遊技球が、表示装飾枠２３の前側を通過して表示装飾枠２３の内側に進入しないように構成されている。
【００２５】
表示装飾枠２３の左側の下方には、風車１９が設けられ、遊技領域Ｒ１の左側を流下してきた遊技球の進路を中央側へ変更可能になっている。また、表示装飾枠２３の左側部には、表示装飾枠２３の下辺部に形成されたステージ２４へ遊技球を案内するためのワープ路２２が備えられている。
【００２６】
表示装飾枠２３の下方には、第１と第２の始動入賞口１４Ａ，１４Ｂが上下に並べて設けられ、それら始動入賞口１４Ａ，１４Ｂの左側には、ガイドレール１２に沿って一般入賞口２０が複数設けられている。
【００２７】
図３に示すように、第１の始動入賞口１４Ａと第２の始動入賞口１４Ｂの間の空間は、演出用役物３１によって占められている。この演出用役物３１は、環状装飾部３２の内側に駆動役物３３を備えた構造になっている。
【００２８】
また、演出用役物３１の両側部の下方には、第２の始動入賞口１４Ｂを挟むように対峙した１対のサイド壁４４，４４が備えられている。１対のサイド壁４４，４４の上面は、第２の始動入賞口１４Ｂへ近づくに従って下方に下るように傾斜し、それら１対のサイド壁４４，４４と演出用役物３１との間に、遊技球を側方から受け入れて第２の始動入賞口１４Ｂ側へ転動させるサイド誘導路３５Ｒ，３５Ｌが形成されている。このように、本実施形態の遊技機１０では、遊技球は、演出用役物３１によって第２の始動入賞口１４Ｂへの上方からの進入が規制され、サイド誘導路３５Ｒ，３５Ｌによって側方からのみ進入可能となっている。
【００２９】
図２に示すように、表示装飾枠２３の右側には、始動ゲート１８が備えられている。また、表示装飾枠２３の下方における右側、即ち、第１と第２の始動入賞口１４Ａ，１４Ｂの右側には、大入賞口１５が設けられ、この大入賞口１５のさらに右側にサイド入賞口２１が備えられている。
【００３０】
また、遊技領域Ｒ１の下端における中央部には、遊技球を遊技領域Ｒ１の後面側に排出するためのアウト口１６が設けられている。また、図示はしないが、遊技領域Ｒ１には多数の障害釘が植設されている。
【００３１】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ遊技球が入球（入賞）すると、その遊技球は遊技板１１の裏側に取り込まれ、例えば、１個の入球につき１５個の賞球が上皿２６に払い出される。
【００３２】
始動ゲート１８は、遊技球が潜って通過可能な門形構造をなしている。始動ゲート１８を遊技球が通過すると、普通図柄の当否判定が行われる。ここで、本実施形態の遊技機１０では、通常の遊技状態では、普通図柄の当否判定が当たりとなる確率は低く設定されており、後述する「大当たり遊技」後に、普通図柄の当否判定が当たりとなる確率が高くなる「時短遊技」に突入する。従って、本実施形態の遊技機１０では、通常の遊技状態においては、表示装飾枠２３の左側を流下するように遊技球を打ち出す、所謂、「左打ち」を行い、「時短遊技」中においては、表示装飾枠２３の右側を流下するように遊技球を打ち出す、所謂、「右打ち」を行う、というように、２種類の打ち方を遊技者に提供可能な構成となっている。なお、「時短遊技」は、「大当たり遊技」の終了後、第１〜第２の始動入賞口１４Ａ，１４Ｂへの入賞回数が、例えば、１００回に達するか、或いは、その「時短遊技」中に「大当たり遊技」へ移行した場合に終了する。
【００３３】
第１の始動入賞口１４Ａは、一般入賞口２０やサイド入賞口２１と同様に、ポケット構造になっていて、遊技球が１つずつ入ることが可能な大きさで上方に開口している。なお、上述したステージ２４のうち第１の始動入賞口１４Ａの真上に位置する部分には、球導入路２４Ａが形成されていて、ステージ２４を転動する遊技球は、球誘導路２４Ａから第１の始動入賞口１４Ａへ向けて流下可能となっている。
【００３４】
図３に示すように、第２の始動入賞口１４Ｂは、遊技球が１つずつ入ることが可能な大きさで前方に開口し、通常は、開閉扉５０にて前方が閉塞されることで、遊技球の入球（入賞）が規制されている。開閉扉５０は、上述した普通図柄の当否判定の結果が当たりとなったときに、下端部を中心に回動して所定時間だけ前側に倒される（図３には、前側に倒された開閉扉５０が示されている。）。そして、このとき、上述したサイド誘導路３５Ｒ，３５Ｌを転動してきた遊技球が、開閉扉５０に受け止められ、その開閉扉５０の裏面を誘導面５０Ｍとして、第２の始動入賞口１４Ｂへと誘導される。
【００３５】
なお、本実施形態では、第２の始動入賞口１４Ｂが本発明の「入賞口」に相当し、サイド誘導路３５Ｒ，３５Ｌのうち右側のサイド誘導路３５Ｒが本発明の「第１流路」に、左側のサイド誘導路３５Ｌが本発明の「第２流路」に、それぞれ相当する。
【００３６】
各始動入賞口１４Ａ，１４Ｂに遊技球が入球（入賞）すると、例えば、１個の入球につき４個の賞球が上皿２６に払い出されると共に、特別図柄の当否判定が行われる。その判定結果は、表示装置３０の表示画面３０Ｇにて表示される。
【００３７】
具体的には、表示画面３０Ｇには、通常、左、中、右の３つの特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、始動入賞口１４Ａ，１４Ｂに遊技球が入賞したことを契機に、これら３つの特別図柄が変動表示（上下方向にスクロール表示）され、所定時間後に、例えば、左、右、中の順で各特別図柄が停止表示される。始動入賞口１４Ａ，１４Ｂへの入賞に起因した当否判定結果が当たり（以下、「大当たり」という）の場合には、３つの特別図柄が全て同じ図柄（ゾロ目）で停止表示され、その後、遊技状態が「大当たり遊技」に移行する。これに対し、判定結果が外れの場合には、ゾロ目以外の組み合わせで停止表示され、通常の遊技状態が続行する。
【００３８】
大入賞口１５は、横長矩形状をなし、通常の遊技状態では、可動扉１５Ｔにて閉塞されている。そして、遊技状態が「大当たり遊技」になると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。なお、可動扉１５Ｔが開放してから閉じるまでの間を「ラウンド」と称すると、「大当たり遊技」は、最大で、例えば、１６ラウンドまで継続され、１つのラウンドは、可動扉１５Ｔの開放時間が３０秒に達したか、又は、大入賞口１５に遊技球が１０個入賞したか、の何れかの終了条件が先に満たされた場合に終了する。
【００３９】
上述した各入賞口１４Ａ，１４Ｂ，１５，２０，２１の何れにも入賞しなかった遊技球は、アウト口１６に全て取り込まれる。アウト口１６は、遊技領域Ｒ１の下端部に配置されて、前方に開口している。アウト口１６に取り込まれた遊技球は、図示しない球回収装置に回収される。
【００４０】
なお、本実施形態のアウト口１６には、第２の始動入層口１４Ｂの真下に位置する中央アウト口１６Ａと、中央アウト口１６Ａの両側に配置されたサイドアウト口１６Ｂ，１６Ｂとが備えられている。中央アウト口１６Ａは、上述した１対のサイド壁４４，４４の間に位置し、サイドアウト口１６Ｂは、サイド壁４４の隣りに配置されている。そして、サイド誘導路３５Ｒ，３５Ｌを通って第２の始動入賞口１４Ｂ側へ案内され、第２の始動入賞口１４Ｂに入球せずに下方に流下してきた遊技球は、中央アウト口１６Ａから排出され、サイド誘導路３５Ｒ，３５Ｌへ進入せずにガイドレール１２に受け止められて中央アウト口１６Ａ側に案内された遊技球は、サイド壁４４，４４で堰き止められて、サイドアウト口１６Ｂ，１６Ｂから排出される。
【００４１】
ところで、本実施形態では、第１と第２の始動入賞口１４Ａ，１４Ｂ及び開閉扉５０は、図４に示す始動入賞口ユニット４１を遊技板１１に取り付けることで、遊技領域Ｒ１内に配置される。具体的には、始動入賞口ユニット４１における前後方向の中間位置からは、複数の取付片４１Ｔが側方に張り出し、始動入賞口ユニット４１は、遊技領域Ｒ１の下端部中央に形成された図示しないユニット取付孔に前側から挿通されて、遊技板１１の前面に取付片４１Ｔを重ねた状態に固定される。
【００４２】
図５に示すように、始動入賞口ユニット４１は、ユニット本体４１Ｈに、開閉扉５０と前面カバー４３を組み付けてなる。ユニット本体４１Ｈは、その前端部に、第１の始動入賞口１４Ａ、演出用役物３１、第２の始動入賞口１４Ｂを上から順番に並べて備え、演出用役物３１の駆動役物３３と開閉扉５０を駆動するための各駆動部４２を後部に有している。なお、ユニット本体４１Ｈの後部には、駆動部４２のほかに、第１と第２の始動入賞口１４Ａ，１４Ｂに入球した遊技球を遊技板の後面側に誘導する入賞球誘導路４７や、第２の始動入賞口１４Ｂに入球した遊技球を検出する球検出センサ（図示せず）が備えられている。
【００４３】
詳細には、ユニット本体４１Ｈは、上述した複数の取付片４１Ｔを前端寄り位置に有し、それら取付片４１Ｔよりも前方に、演出用役物３１の環状装飾部３２が突出している。そして、その環状装飾部３２の上端部に第１の始動入賞口１４Ａが固定されている。また、環状装飾部３２の真下には、取付片４１Ｔとほぼ同じ前後位置で遊技板１１と平行な入賞口構成壁４６が備えられていて、この入賞口構成壁４６の前面に、第２の始動入賞口１４Ｂが開口している（図５参照）。
【００４４】
なお、入賞口構成壁４６の底面４６Ａには、底部中央溝４６Ｍが形成されている。また、入賞口構成壁４６の両側には、側方に張り出して先端部が下方に折れ曲がった溝構成壁４８，４８が設けられ、この溝構成壁４８，４８と入賞口構成壁４６との間に、底部サイド溝４８Ｍ，４８Ｍが形成されている。そして、図３に示すように、遊技板１１の図示しないユニット取付孔に始動入賞口ユニット４１が取り付けられると、ガイドレール１２と遊技板１１とに形成された中央排出溝１１Ｍと、上述した底部中央溝４６Ｍとの溝開口同士が合わさって中央アウト口１６Ａが形成され、底部サイド溝４８Ｍ，４８Ｍの溝開口がガイドレール１２の湾曲ガイド部１２Ｇで閉塞されて、サイドアウト口１６Ｂ，１６Ｂが形成される。
【００４５】
図５に示すように、前面カバー４３は、ユニット本体４１Ｈの入賞口構成壁４６の前面に開閉扉５０を挟んで固定される。図６に示すように、前面カバー４３の裏面からは、上述したサイド壁４４，４４が突出している。サイド壁４４，４４は、前面カバー４３の下端寄り部分の両側部に配置され、ユニット本体４１Ｈに前面カバー４３が組み付けられたときに、第２の始動入賞口１４Ｂの両側で入賞口構成壁４６に突き当てられる（図４参照）。そして、このとき、入賞口構成壁４６と前面カバー４３とによって前後方向に挟まれると共に、環状装飾部３２とサイド壁４４，４４とによって上下方向に挟まれたサイド誘導路３５Ｒ，３５Ｌが形成される。
【００４６】
また、図６には、開状態の開閉扉５０が示されている。同図に示すように、開閉扉５０は、開状態では、１対のサイド壁４４，４４の間で、後側が若干下るように配置され、回動ピン６１Ｐを回転可能に支持する１対のピン支持部６１，６１が後端部の両側部に配置されている。なお、詳細には、ピン支持部６１は、サイド壁４４よりも後側に配置され、ピン支持部６１に支持された回動ピン６１Ｐは、サイド壁４４とユニット本体４１Ｈの入賞口構成壁４６（図５参照）とに挟持される。
【００４７】
１対のピン支持部６１，６１のうち一方のピン支持部６１からは、サイドレバー６２が上方に突出している。サイドレバー６２は、駆動部４２（図４及び図５参照）によって回動ピン６１Ｐの中心軸回りに回転駆動される。これにより、開閉扉５０は、鉛直方向に延びた待機位置と、待機位置から前倒しにされた作動位置（図６参照）との間を回動して、第２の始動入賞口１４Ｂを開閉する。そして、開閉扉５０の裏面が、サイド誘導路３５Ｒ，３５Ｌを転動してきた遊技球を受け止めて第２の始動入賞口１４Ｂへと誘導する誘導面５０Ｍになっている。
【００４８】
以下、開閉扉５０のピン支持部６１側の端部、即ち、開状態における後端部を「基端部」と、ピン支持部６１とから離れた側の端部、即ち、開状態における前端部を「先端部」と、それら基端部と先端部とを結ぶ方向を「開閉扉５０の突出方向」と適宜称して、開閉扉５０について詳説する。
【００４９】
図７及び図８に示すように、回動扉５０の誘導面５０Ｍには、右側のサイド誘導路３５Ｒを転動してきた遊技球を第２の始動入賞口１４Ｂへ向けて案内する第１誘導路７１と、左側のサイド誘導路３５Ｌを転動してきた遊技球を第２の始動入賞口１４Ｂへ向けて案内する第２誘導路７２とを形成する誘導突部５１が設けられている。
【００５０】
具体的には、誘導突部５１は、開閉扉５０の先端部に配置された中央突部５４と、開閉扉５０の両側部で中央突部５４よりも基端側に配置された第１対向突部５６及び第２対向突部５７とを備えてなる。
【００５１】
図８に示すように、中央突部５４は、開閉扉５０の突出方向における中間位置から先端に亘って配置され、全体の形状が開閉扉５０の基端側へ向かうに従って幅狭な形状となっている。そして、中央突部５４の側面には、開閉扉５０の右端部から左右方向の中央へ向かうにつれて基端側を向くように湾曲した第１円弧面５２Ｍと、開閉扉５０の左端部から左右方向の中央に向かうにつれて基端側を向くように湾曲した第２円弧面５３Ｍとが、設けられている。
【００５２】
詳細には、中央突部５４は、開閉扉５０を左右に二分する扉中央線Ｌ１より右側に位置して基端側を向いた面が第１円弧面５２Ｍとなった第１円弧面構成体５２と、扉中央線Ｌ１より左側に位置して基端側を向いた面が第２円弧面５３Ｍとなった第２円弧面構成体５３とで構成され、第１円弧面構成体５２は、扉中央線Ｌ１を対称軸として第２円弧面構成体５３と線対称な円弧面構成体の右端部を切除した形状となっている。言い換えれば、中央突部５４は、扉中央線Ｌ１に対して対称な突部の右端部が切除された非対称形状となっている。
【００５３】
図７に示すように、第１対向突部５６は、開閉扉５０の基端部における右側部に配置され、開閉扉５０の基端側の右隅部から第１円弧面構成体５２へ向かうにつれて下るように傾斜した傾斜面５６Ｍを上面に有した略三角錘状をなしている。そして、誘導面５０Ｍのうち中央突部５４と第１対向突部５６に挟まれた部分に、遊技球が１つだけ通過可能な幅の第１誘導路７１が形成されている（図８参照）。
【００５４】
また、第２対向突部５７は、開閉扉５０の基端部における左側部に配置され、開閉扉５０の基端側の左隅部から第２円弧面構成体５３へ向かうにつれて下るように傾斜した傾斜面５７Ｍを上面に有した略三角錘状をなしている。そして、誘導面５０Ｍのうち中央突部５４と第２対向突部５７に挟まれた部分に、遊技球が１つだけ通過可能な幅の第２誘導路７２が形成されている（図８参照）。なお、図７に示すように、上述したサイドレバー６２は、第２対向突部５７の基端側の左隅部から突出しているが、図８〜図１０では、省略されて示されている。
【００５５】
また、図８に示すように、誘導面５０Ｍの基端部で第１対向突部５６と第２対向突部５６とに挟まれた部分のうち第１誘導路７１にも第２誘導路７２にも属さない部分には、第１誘導路７１と第２誘導路７２と第２の始動入賞口１４Ｂとに連絡した三角形状をなして、遊技球が１つだけ入ることが可能な大きさの合流領域７３が形成されている。これにより、第１誘導路７１又は第２誘導路７２を通過してきた遊技球は、合流領域７３に１つずつ受け入れられて、第２の始動入賞口１４Ｂへと誘導される。
【００５６】
ここで、図８に示すように、第１対向突部５６と第２対向突部５７を上方から見た形状は共に、開閉扉５０の基端縁と側端縁に辺部を有した直角三角形状になっていて、それら直角三角形の左右方向の幅は、同じになっている。そして、第１対向突部５６における開閉扉５０の先端側の頂点Ｐ１は、第２対向突部５７における開閉扉５０の先端側の頂点Ｐ２よりも開閉扉５０の基端側に配置されている。また、上述のごとく、第１円弧面構成体５２は、扉中央線Ｌ１を対称軸として第２円弧面構成体５３に線対称な円弧面構成体の右端部を切除した形状をなしている。これらにより、第１誘導部７１の幅Ｗ１は、第２誘導部７２の幅Ｗ２よりも大きくなっている。このように、本実施形態では、誘導突部５１（中央突部５４、第１対向突部５６及び第２対向突部５７）は、第１誘導路７１の幅Ｗ１が第２誘導路の幅Ｗ２よりも大きくなるような非対称形状に構成されている。
【００５７】
なお、本実施形態では、第１円弧面５２Ｍと第２円弧面５３Ｍとが、それぞれ、本発明の「第１誘導部」と「第２誘導部」にも相当し、中央突部５４（第１円弧面構成体５２及び第２円弧面構成体５３）と、第１対向突部５６と、第２対向突部５７とによって、本発明の「非対称減速部」が構成されている。
【００５８】
始動入賞口ユニット４１の構成に関する説明は以上である。次に、開閉扉５０の誘導面５０Ｍを転動する遊技球の動作について説明する。
【００５９】
開閉扉５０が開状態となったときに、遊技球がサイド誘導路３５Ｒ，３５Ｌを転動してくると、遊技球は、誘導面５０Ｍに形成された第１誘導路７１と第２誘導路７２を通って、第２の始動入賞口１４Ｂへ誘導される。
【００６０】
図９には、左側のサイド誘導路３５Ｌと右側のサイド誘導路３５Ｒとから遊技球が、開閉扉５０の誘導面５０Ｍに転動してきた場合が示されている。左側のサイド誘導路３５Ｌから転動してきた遊技球は、中央突部５４の第１円弧面５２に沿って第１誘導路７１を通過し、合流領域７３を経て第２の始動入賞口１４Ｂへと誘導される。また、右側のサイド誘導路３５Ｌから転動してきた遊技球は、通押突部の第２円弧面５３Ｍに沿って第２誘導路７２を通過し、合流領域７３を経て第２の始動入賞口１４Ｂへと誘導される。
【００６１】
ここで、遊技球が、左右のサイド誘導路３５Ｒ，３５Ｌから誘導面５０Ｍに、同時に同じ速度で転動してくると、それら２つの遊技球が合流領域７３へ同時に進入しようとして、合流領域７３で球詰まりが発生することが考えられる。しかしながら、本実施形態では、上述したように、誘導突部５１が、第１誘導路７１の幅Ｗ１が第２誘導路７２の幅Ｗ２よりも大きくなるような非対称形状に構成されているので、第１誘導路７１を通る遊技球は、第２誘導路７２を通る遊技球に比べて、誘導路の側壁と衝突する回数が少なくなり、第１誘導路７１を通る遊技球の転動の減速度合いが、第２誘導路７２を通る遊技球の転動の減速度合いよりも小さくなる。その結果、第１誘導路７１を通る遊技球の方が先に、合流領域７３に進入し、合流領域７３での球詰まりを抑えることができる。
【００６２】
なお、本実施形態では、第１対向突部５６と第２対向突部５７の傾斜面５６Ｍ，５７Ｍが、第１と第２の円弧面構成体５２，５３へ向かうにつれて下るように傾斜しているので、第１誘導路７１と第２誘導路７２を転動してきた遊技球が第１対向突部５６と第２対向突部５７に乗り上げても、傾斜面５６Ｍ，５７Ｍによって第１誘導路７１と第２誘導路７２に戻すことが可能になっている。しかも、傾斜面５６Ｍの誘導面５０Ｍに対する傾斜は、傾斜面５７の誘導面５０Ｍに対する傾斜よりも急になっているので（図７参照）、第１対向突部７１に乗り上げた遊技球の方が誘導路に速く戻される。
【００６３】
ところで、右側のサイド誘導路３５Ｒを転動してくる遊技球には、第１誘導路７１へと向かう正規の移動軌跡を外れたものもある。ここで、本実施形態では、図１０（Ａ）及び図１０（Ｂ）に示すように、第１誘導路７１の入口で開閉扉５０の誘導面５０Ｍの先端よりも基端側に収まって転動する遊技球の移動軌跡が「正規の移動軌跡」となっていて、第１誘導路７１の入口で誘導面５０Ｍの先端からはみ出して転動する遊技球が、正規の移動軌跡から外れた遊技球となっている。なお、図１０（Ａ）及び図１０（Ｂ）には、誘導面５０Ｍの先端と同じ前後位置にある基準面が１点鎖線で示されている
【００６４】
右側のサイド誘導路３５Ｒから正規の移動軌跡を外れた遊技球が転動してくると、その遊技球は、図１０（Ａ）に示すように、開閉扉５０の誘導面５０Ｍに受け止められて第１円弧面構成体５２の右端部と当接し、サイド誘導路３５Ｒ側へ跳ね返される。ここで、上述したように、開状態の開閉扉５０は、基端側が下るように傾斜しているので、跳ね返された遊技球は、開閉扉５０の基端側へと移動して、開閉扉５０の先端よりも基端側に収まる。即ち、遊技球は、正規の移動軌跡へと戻る。そして、正規の移動軌跡に戻された遊技球は、第１誘導路７１を通って第２の始動入賞口１４Ｂへと誘導される。
【００６５】
このように、正規の移動軌跡から外れた遊技球は、第１円弧面構成体５２の右端部によって進路変更され、正規の移動軌跡に戻される。即ち、本実施形態では、第１円弧面構成体５２の右端部によって、本発明の進路変更部５５が構成されている。そして、本実施形態では、この進路変更部５５により、右側のサイド誘導路３５Ｒを複数の遊技球が転動してきた場合であっても、それら遊技球を１個ずつ第１誘導路７１へ進入させることが可能となっている。
【００６６】
本実施形態の遊技機１０の構成に関する説明は以上である。次に、遊技機１０の作用効果について説明する。
【００６７】
遊技機１０では、遊技者により操作ハンドル２８が操作されると、遊技球が遊技領域Ｒ１に順次打ち込まれる。通常の遊技状態では、遊技球が始動ゲート１８を通過したことを契機に開閉扉５０が開状態となる確率が低くなっているため、多くの場合、左打ちが行われる。そして、ランダムに流下した遊技球の一部が第１の始動入賞口１４Ａに入球すると、その入球に基づいて大当たり遊技の当否判定が行われ、その判定結果が当たりであると、大当たり遊技が実行される。
【００６８】
大当たり遊技が終了すると、時短遊技が開始される。この時短遊技では、遊技球が始動ゲートを通過したことを契機に開閉扉５０が開状態となる確率が高くなっているので、多くの場合、右打ちが行われる。そして、右側のサイド誘導路３５Ｒを転動してきた遊技球が、開状態の開閉扉５０に受け止められると、遊技球は、開閉扉５０の裏面（誘導面５０Ｍ）に形成された第１誘導路７１を通って第２の始動入賞口１４Ｂへと誘導される。第２の始動入賞口１４Ｂに遊技球が入球すると、第１の始動入賞口１４Ａと同様に、大当たり遊技の当否判定が行われる。
【００６９】
ここで、右打ちを実行しているときに、例えば、遊技者が操作ハンドル２８を緩める等すると、遊技球が遊技領域Ｒ１の右側と左側を流下する。そして、２つの遊技球が、左右のサイド誘導路３５Ｒ，３５Ｌを通って、開閉扉５０の誘導面５０Ｍに同時に受け止められ（図９参照）、誘導面５０Ｍを同じ速度で転動すると、始動入賞口１４Ｂ付近で球詰まりが発生するという事態が起こり得る。しかしながら、本実施形態の遊技機１０では、誘導突部５１が、第１誘導路７１を通って第２の始動入賞口１４Ｂへ向かう遊技球の減速度合いと、第２誘導路７２を通って第２の始動入賞口１４Ｂへ向かう遊技球の減速度合いとが異なるような非対称形状に構成されているので、遊技球を１個ずつ第２の始動入賞口１４Ｂへ受け入れることが可能となる。これにより、第２の始動入賞口１４Ｂ付近で遊技球が詰まることが抑制される。
【００７０】
なお、ここで、第１誘導路７１と第２誘導路７２の形状が異なることで各々流下する遊技球の軌跡が変わったり、速度が変わるなどの理由で、仮に、各誘導路７１，７２から流下された２つの遊技球が合流領域７３へ同時に進入しようとした場合であっても、各々の遊技球が衝突して、一方の遊技球が他方の遊技球を弾くことにより、一方の遊技球が合流領域７３に進入して第２の始動入賞口１４Ｂに誘導され、その後に他方の遊技球が合流領域７３に進入して第２の始動入賞口１４Ｂに誘導されることで、球詰まりを抑制することが可能である。
【００７１】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７２】
（１）図１１に示す開閉扉５０Ｖのように、誘導面５０Ｍのうち中央突部５４と第１対向突部５６とに挟まれた部分、即ち、第１誘導路７１の転動面を平坦にする一方で、中央突部５４と第２対向突部５７とに挟まれた部分、即ち、第２誘導路７２の転動面に複数の突起７２Ｔを設けて、本発明の「非対称減速部」を形成してもよい。この構成によっても、第１誘導路７１を通る遊技球の減速度合いを、第２誘導路７２を通る遊技球の減速度合いよりも小さくすることができ、第２の始動入賞口１４Ｂ付近での球詰まりを抑えることが可能になる。
【００７３】
なお、図１１に示す例では、第１対向突部５６と第２対向突部５７とが、上記実施形態の開閉扉５０のように、扉中央線Ｌ１に対して非対称対称となっているが、両対向突部５６，５７を扉中央線Ｌ１に対して対称としてもよい。図１１の構成によれば、第１誘導路７１を通る遊技球の減速度合いと、第２誘導路７２を通る遊技球の減速度合いとの差を大きくすることができる。
【００７４】
（３）中央突部５４に進路変更部５５を設けない構成としてもよい。具体的には、第１円弧面構成体５２を、扉中心線Ｌ１に対して第２円弧面構成体５３と線対称な構成としてもよい。
【００７５】
（４）右側のサイド誘導路３５Ｒからの遊技球が開閉扉５０の誘導面５０Ｍを転動するときの減速度合いを、左側のサイド誘導路３５Ｌからの遊技球が開閉扉５０の誘導面５０Ｍを転動するときの減速度合いよりも大きくなるように構成してもよい。具体的には、上記実施形態の開閉扉５０を、左右反転させた構成として、左側のサイド誘導路３５Ｌから転動してきた遊技球が第１誘導路７１を通り、右側のサイド誘導路３５Ｒから転動してきた遊技球が第２誘導路７２を通るようにしてもよい。
【００７６】
（５）図１２に示す開閉扉５０Ｗのように、第１誘導路７１が開閉扉５０Ｗの左右方向の中央へ近づくにつれて第２の始動入賞口１４Ｂへ向かう円弧状となる一方で、第２誘導路７２が第２の始動入賞口１４Ｂへ向かって蛇行しながら延びた形状となるように誘導突部５１Ｗを構成してもよい。具体的には、誘導突部５１Ｗは、上記実施形態と同様に、中央突部５４Ｗ、第１対向突部５６Ｗ及び第２対向突部５７Ｗとで構成され、中央突部５４Ｗと第１対向突部５６Ｗの互いの対向面が円弧状に形成される一方、中央突部５４Ｗと第２対向突部５７Ｗの互いの対向面が波形に形成されている。なお、第１誘導路７１は、第２誘導路７２と同じ幅であっても、第２誘導路７２より幅広であってもよい。
【００７７】
（６）なお、本発明では、入賞口（第２の始動入賞口１４Ｂ）を開閉する開閉扉に誘導突部を備えた構成であったが、入賞口に対して前後に進退し、上面を誘導面にして遊技球を入賞口へと誘導する入賞補助突片に誘導突部を備えた構成であっても、本発明と同様の効果を奏することが可能となる。即ち、「前方に開放して遊技媒体を受け入れ可能であって遊技媒体１個分以上２個分未満の大きさに設定された入賞口と、入賞口内に収まった待機位置と、入賞口の下辺開口縁から前方に突出しかつ上面を誘導面として遊技媒体を入賞口へ案内する作動位置との間を移動する入賞補助部材とを備えた遊技機」において、入賞補助部材の誘導面に、本発明に係る誘導突部を設けた構成とすれば、本発明と同様の効果を奏することが可能となる。なお、入賞補助部材には、本発明の開閉扉及び上述の入賞補助突片が含まれる。
【符号の説明】
【００７８】
１０    パチンコ遊技機（遊技機）
１４Ｂ    第２の始動入賞口（入賞口）
３５Ｌ    左側のサイド誘導路（第２流路）
３５Ｒ    右側のサイド誘導路（第１流路）
５０，５０Ｖ，５０Ｗ    開閉扉
５０Ｍ    誘導面
５１，５１Ｗ    誘導突部
５２    第１円弧面構成体（第１誘導部）
５２Ｍ    第１円弧面
５３    第２円弧面構成体（第２誘導部）
５３Ｍ    第２円弧面
５４，５４Ｗ    中央突部
５５    進路変更部
５６，５６Ｗ    第１対向突部
５７，５７Ｗ    第１対向突部
７１    第１誘導路
７２    第２誘導路
７３    合流領域
【図１】
2014200635.tif 000003
【図２】
2014200635.tif 000004
【図３】
2014200635.tif 000005
【図４】
2014200635.tif 000006
【図５】
2014200635.tif 000007
【図６】
2014200635.tif 000008
【図７】
2014200635.tif 000009
【図８】
2014200635.tif 000010
【図９】
2014200635.tif 000011
【図１０】
2014200635.tif 000012
【図１１】
2014200635.tif 000013
【図１２】
2014200635.tif 000014